(57)【要約】【課題】本発明は、作業性を大幅に向上できるようにした疑似基地局装置を提供する。【解決手段】本発明によると、被測定対象である試験端末と該試験端末に接続可能な少なくとも１つの接続先との間に介挿され、前記試験端末と前記接続先とのいずれか一方から他方に対する接続要求及び切断要求に応じて前記試験端末と前記接続先との間に通信回線を形成すると共に、前記通信回線を切断する疑似基地局部と、前記疑似基地局部によって形成された前記通信回線を介して接続された前記試験端末と前記接続先との間の一連の通信試験に関して、前記試験端末と前記疑似基地局部との間、及び前記接続先と前記疑似基地局部との間における少なくとも１つの通信の手順及び通信の遷移状態を示すシーケンスを表示させるシーケンス状態表示制御部、前記疑似基地局部を介した前記試験端末と前記接続先との接続状態を前記通信の遷移状態に対応付けて前記シーケンスの表示にリンクさせて表示させる接続状態表示制御部とを備えた疑似基地局装置が提供される。【選択図】図３
2006050567.tif 000002
【特許請求の範囲】
【請求項１】
被測定対象である試験端末（８）と該試験端末（８）に接続可能な少なくとも１つの接続先（１０，１１，１２）との間に介挿され、前記試験端末（８）と前記接続先（１０，１１，１２）とのいずれか一方から他方に対する接続要求に応じて前記試験端末（８）と前記接続先（１０，１１，１２）との間に通信回線を形成すると共に、前記いずれか一方又は前記他方からの切断要求に応じて前記通信回線を切断する少なくとも１つの疑似基地局としての機能を有する疑似基地局部（１３）と、
前記疑似基地局部（１３）によって形成された前記通信回線を介して接続された前記試験端末（８）と前記接続先（１０，１１，１２）との間の一連の通信試験に関して、前記試験端末（８）と前記疑似基地局部（１３）との間、及び前記接続先（１０，１１，１２）と前記疑似基地局部（１３）との間における少なくとも１つの通信の手順及び通信の遷移状態を示すシーケンス（４ａ−４ｉ）を表示器（２）のシーケンス表示部（４）に表示させるシーケンス状態表示制御部（２７）とを含む疑似基地局装置において、
前記疑似基地局部（１３）を介した前記試験端末（８）と前記接続先（１０，１１，１２）との接続状態を前記通信の遷移状態に対応付けて前記シーケンス状態表示制御部（２７）によるシーケンスの表示にリンクさせて前記表示器（２）の接続状態表示部（５）に表示させる接続状態表示制御部（２９）を備えたことを特徴とする疑似基地局装置。
【請求項２】
前記接続状態表示制御部（２９）によって前記表示器（２）の接続状態表示部（５）に表示される前記接続先（１０，１１，１２）のうち少なくとも１つが実際の接続先を模擬した仮想接続先（１０ａ，１１ａ，１２ａ）であることを特徴とする請求項１記載の疑似基地局装置。
【請求項３】
前記接続状態表示制御部（２９）によって前記表示器（２）の接続状態表示部（５）に表示される前記試験端末（８）から前記疑似基地局部（１３）までの間の表示画面上における距離（Ｄ）を外部操作によって前記試験端末（８）を移動させて変化させるグラフィカルユーザインタフェース（ＧＵＩ）を含む試験端末移動手段（３４）と、
前記表示画面上において移動された前記試験端末（８）から前記疑似基地局部（１３）までの間の距離（Ｄ）に応じて前記疑似基地局部部（１３）から前記試験端末（８）への送信信号のレベルを変更する出力レベル設定手段（３８）とをさらに備えていることを特徴とする請求項１又は２記載の疑似基地局装置。
【請求項４】
前記出力レベル設定手段（３８）は、前記表示画面上の距離（Ｄ）が所定の距離よりも長くなると、前記疑似基地局部（１３）からの前記試験端末（８）に対する送信信号のレベルを当該距離に応じて低下させ、前記表示画面上の距離（Ｄ）が所定の距離よりも短くなると前記疑似基地局部（１３）からの前記送信信号のレベルを当該距離に応じて上昇させることを特徴とする請求項３記載の疑似基地局装置。
【請求項５】
前記接続可能な少なくとも１つの接続先（１０，１１，１２）のうちの１つの接続先が電子メールサーバ（１１ａ）であるとき、前記電子メールサーバ（１１ａ）に対して電子メールの送受信を行うメールアプリケーション（４１ａ）と、
前記メールアプリケーション（４１ａ）が送受信を行う前記電子メールを前記表示器  （２）のメール画面表示部（４１）上に表示して外部操作により編集可能とする編集手段（３１，３２，３３）とをさらに備えていることを特徴とする請求項１乃至４のいずれか一に記載の疑似基地局装置。
【請求項６】
前記接続可能な接続先（１０，１１，１２）のうちの少なくとも１つの接続先は他の疑似基地局装置（４３ａ）であることを特徴とする請求項１乃至５のいずれか一に記載の疑似基地局装置。
【請求項７】
前記シーケンス状態表示制御部（２７）は、前記シーケンス表示部（６）に表示させる前記通信手順及び通信の遷移状態を示すシーケンスとして、前記試験端末（８）の電源ＯＦＦ状態を示す「電源ＯＦＦ」シーケンス（４ａ）、前記試験端末（８）の位置登録解除状態を示す「位置登録解除」シーケンス（４ｂ）、前記試験端末（８）の位置登録状態を示す「位置登録」シーケンス（４ｃ）、前記試験端末（８）の待ち受け状態を示す「待ち受け状態」シーケンス（４ｄ）、前記試験端末（８）の発信状態を示す「発信」シーケンス（４ｅ）、前記試験端末（８）の着信状態を示す「着信」シーケンス（４ｆ）、前記試験端末（８）の通信状態を示す「通信状態」シーケンス（４ｇ）、前記試験端末（８）からの切断状態を示す「ＵＥ（試験端末８）切断」シーケンス（４ｈ）、前記接続先（１０，１１，１２）からの切断状態を示す「ＮＷ（接続先）切断」シーケンス（４ｉ）で構成されている一連のシーケンス（４ａ〜４ｉ）を各シーケンス（４ａ〜４ｉ）間で各通信手順及び通信状態の遷移方向を示す矢印を伴わせてフローチャート状に表示する際に遷移状態に応じて表示状態を変化させて表示させることを特徴とする請求項１乃至６のいずれか一に記載の疑似基地局装置。
【請求項８】
前記シーケンス状態表示制御部部（２７）によって前記表示器（２）の前記シーケンス表示部（６）に表示される前記シーケンス（４ａ−４ｉ）として、前記試験端末（８）と前記疑似基地局部（１３）を介して接続された前記接続先（１０，１１，１２）との間の通信試験に関して、前記試験端末（８）と前記疑似基地局部（１３）との間における前記通信手順及び通信の遷移状態を示すシーケンス及び前記接続先（１０，１１，１２）と前記疑似基地局部（１３）との間における通信手順及び通信の遷移状態を示すシーケンスとのうちの少なくとも一方を選択可能であることを特徴とする請求項１乃至７のいずれか一に記載の疑似基地局装置。
【請求項９】
前記接続状態表示制御部（２９）は、前記接続状態表示部（５）に前記試験端末（８）、前記疑似基地局部（１３）及び前記仮想接続先としての仮想通話先（１０ａ）、仮想サーバ（１１ａ）、仮想ＴＶ電話（１２ａ）のうちの少なくとも一つをそれぞれ図形化して表示させると共に、前記接続状態表示部（５）に図形化して表示される前記疑似基地局部  （１３）に対する前記試験端末（８）及び前記仮想通話先（１０ａ）、仮想サーバ（１１ａ）、仮想ＴＶ電話（１２ａ）のうちの少なくとも一つの間の複数の接続線を図形化して表示させ、且つ、前記複数の接続線を図形化して表示させる際に接続の有無に応じて表示状態を変化させて表示させることを特徴とする請求項１乃至８のいずれか一に記載の疑似基地局装置。
【請求項１０】
前記通信回路の通信方式としてＷ−ＣＤＭＡ（Wideband Code Division Multiple Access）等の符号分割多元接続方式を使用するとき、前記疑似基地局部（１３）は、
前記試験端末（８）から受信部（１５ａ）を介して受信された信号をＲＦ入力処理するＲＦ入力部（１５ｃ）と、
前記ＲＦ入力部（１５ｃ）からの出力を受信処理する受信処理部（１６）と、
前記受信処理部（１６）内で前記ＲＦ入力部（１５ｃ）からの出力を低周波数化する入力ＩＦ処理部（１７）と、
前記入力ＩＦ処理部（１７）で低周波数化された信号を前記受信処理部（１６）内で順次に逆拡散及びデコード処理を行う逆拡散部（１８）及びデコーダ部（１９）と、
前記デコーダ部（１９）でデコードされたデータに基づいて、接続先選択等を含む交換機の機能を実行して、前記試験端末（８）の指定する前記接続先（１０，１１，１２）を呼出す接続先選択部（２１）が組込まれた通信制御部（２０）と、
前記通信制御部（２０）を介して前記接続先（１０，１１，１２）から入力されたデータを送信処理する送信処理部（２２）と、
前記送信処理部（２２）内で前記入力されたデータをコード化するコーダ部（２３）と、
前記送信処理部（２２）内で前記コーダ部（２３）でコード化されたデータを順次に拡散処理及び高周波数化処理を行う拡散部（２４）及び出力ＩＦ処理部（２５）と、
前記出力ＩＦ処理部（２５）で高周波数化処理された信号をＲＦ出力信号として出力するＲＦ出力部（１５ｄ）とを備え、
前記ＲＦ出力部（１５ｄ）から出力されたＲＦ出力信号は送信部（１５ｂ）を介して前記試験端末（８）に送信されることを特徴とする請求項１乃至９のいずれか一に記載の疑似基地局装置。
【請求項１１】
前記疑似基地局部（１３）の前記通信制御部（２０）から前記試験端末（８）に対する通信試験における現在のシーケンス状態を検出するシーケンス状態検出部（２６）をさらに備え、
前記シーケンス状態表示制御部（２７）は、前記シーケンス状態検出部（２６）によって検出されたシーケンス状態に基づいて、前記試験端末（８）に対する通信試験における現在のシーケンス状態を前記シーケンス表示部（６）に表示させることを特徴とする請求項１０に記載の疑似基地局装置。
【請求項１２】
前記疑似基地局部（１３）の前記通信制御部（２０）から前記試験端末（８）に対する通信試験における現在の接続状態を検出する接続状態検出部（２８）をさらに備え、
前記接続状態表示制御部（２９）は、前記接続状態検出部（２８）によって検出された接続状態に基づいて前記試験端末（８）に対する通信試験における現在の接続状態を前記接続状態表示部（５）に表示させることを特徴とする請求項１０又は１１に記載の疑似基地局装置。
【請求項１３】
前記試験端末（８）が前記疑似基地局部（１３）を介して接続された少なくとも１つの接続先（１０，１１，１２）を示す接続先を表示する接続先表示部（６）をさらに備えていることを特徴とする請求項１乃至１２のいずれか一に記載の疑似基地局装置。
【請求項１４】
被測定対象である試験端末（８）と接続可能な少なくとも１つの接続先（１０，１１，１２）との間に介挿され、前記試験端末（８）又は前記接続先（１０，１１，１２）からの、相手先を指定した発信により対応する前記試験端末（８）と前記接続先（１０，１１，１２）との間に通信回線を形成し、前記試験端末（８）又は前記接続先（１０，１１，１２）からの切断指示により、形成された前記回線を切断する疑似基地局部（１３）と、
前記試験端末（８）と前記疑似基地局部（１３）を介して接続された前記接続先（１０，１１，１２）との間の通信に関して、前記試験端末（８）と前記疑似基地局部（１３）との間、及び該接続された前記接続先（１０，１１，１２）と前記疑似基地局部（１３）との間における少なくとも１つの通信の手順及び通信の遷移状態を示すシーケンス（４ａ−４ｉ）を表示器（２）に表示するシーケンス表示部（２７）と、
前記試験端末（８）と前記疑似基地局部（１３）を介した各接続先（１０，１１，１２）との接続状態を前記表示器（２）に前記シーケンスに連動してに表示する接続状態表示部（２９）と、
を備えたことを特徴とする疑似基地局装置。
【発明の詳細な説明】
【技術分野】
【０００１】
本発明は疑似基地局装置に係り、特に、例えば、移動通信端末からなる試験端末における接続先との間の通信動作を確認及び試験するための疑似基地局装置に関する。
【背景技術】
【０００２】
例えば、携帯電話等の移動通信端末を新規に開発する際には、この移動通信端末が接続先（通信先）との間で正常に通信動作を行うことができることを確認するための通信試験が必要となる。
【０００３】
このような通信試験を実行する場合、被試験用の移動通信端末（以下、試験端末）を実際の基地局を介して接続先（通信先）に接続することができないので、実際の基地局と同様の機能を有した疑似基地局装置を用いて試験端末の接続先との間の通信動作を確認するようにしている。
【０００４】
このような通信試験を実行する際に、試験端末と正常な機能を有した接続先（通信先）又は測定器との通信に関する手順及び状態を示すシーケンスをその都度検出して表示器に表示する技術を有する疑似基地局装置は、既に非特許文献１に開示されている。
【０００５】
この非特許文献１に開示された疑似基地局装置は、試験端末と接続先（通信先）又は測定器との間に通信回線が形成されるまでの間に、試験端末との間で交わされる通信の手順及び通信の遷移状態、試験端末と接続先（通信先）又は測定器との間に通信回線が形成されてから、通信回線が切断され、元の状態に至るまでの間に、試験端末と接続先（通信先）又は測定器及び疑似基地局装置との間で交わされる通信の手順及び通信の遷移状態をその都度検出して、表示器にシーケンスとして表示している。
【０００６】
これにより、試験実施者は、当該試験端末が一連の通信試験のうち、現在どの通信の手順及び通信の遷移状態にあるのかを一瞥して把握することができる。
【０００７】
したがって、試験実施者は、当該試験端末の通信試験において、異常発生時における異常原因を短時間で究明することができる。
【非特許文献１】「ＰＨＳ  １．９ＧＨｚ  シグナリングテスタ  ＭＤ１６２０Ｃ」  アンリツ株式会社  製品カタログ  １９９７年４月  発行」
【発明の開示】
【発明が解決しようとする課題】
【０００８】
しかしながら、上述した非特許文献１に開示された疑似基地局装置においても、まだ解消すべき次のような課題がある。
【０００９】
近年、試験端末としての移動通信端末の機能が多様化しており、試験端末に接続可能な接続先は、一般の通話用の通話端末の他に、電子メールや情報通信を送受信するための通信サーバや、ＴＶ電話等がある。
【００１０】
これに伴い、試験端末としての移動通信端末を通して接続先から提供されるサービスも多様化しているので、そのための通信試験を効率的に行うことができる疑似基地局装置が必要となる。
【００１１】
このような通信試験を実行する疑似基地局装置は、先ず、試験端末を当該疑似基地局装置と接続状態とし、その後、指定された接続先と接続状態とし、この接続状態において接続先から提供されるサービスの試験を行い、最後に、試験端末と該当接続先との接続状態を解除する。
【００１２】
上述した非特許文献１に開示された技術による疑似基地局装置においては、試験端末を通して提供するサービスの開発者及び試験実施者等は、表示器に表示されるシーケンスの内容を解析して試験端末と接続先との接続状態を把握することが要求される。
【００１３】
しかしながら、疑似基地局装置の使用に不慣れな試験端末を通して提供するサービスの開発者及び試験実施者等では、表示器に表示されるシーケンスの内容を解析して試験端末と接続先との接続状態を外部から把握することが困難であるため、その作業性が低下しがちであるという問題を抱えている。
【００１４】
そこで、本発明は上述したような事情に鑑みてなされたものであり、試験端末を通して提供するサービスの開発者及び試験実施者等が表示器に表示されるシーケンスの内容を解析して試験端末と接続先との接続状態を外部から把握することができるようにすることにより、試験実施者等の作業性を大幅に向上できるようにした疑似基地局装置を提供することを目的としている。
【課題を解決するための手段】
【００１５】
上記課題を解決するために、本発明の請求項１の疑似基地局装置は、
被測定対象である試験端末（８）と該試験端末（８）に接続可能な少なくとも１つの接続先（１０，１１，１２）との間に介挿され、前記試験端末（８）と前記接続先（１０，１１，１２）とのいずれか一方から他方に対する接続要求に応じて前記試験端末（８）と前記接続先（１０，１１，１２）との間に通信回線を形成すると共に、前記いずれか一方又は前記他方からの切断要求に応じて前記通信回線を切断する少なくとも１つの疑似基地局としての機能を有する疑似基地局部（１３）と、
前記疑似基地局部（１３）によって形成された前記通信回線を介して接続された前記試験端末（８）と前記接続先（１０，１１，１２）との間の一連の通信試験に関して、前記試験端末（８）と前記疑似基地局部（１３）との間、及び前記接続先（１０，１１，１２）と前記疑似基地局部（１３）との間における少なくとも１つの通信の手順及び通信の遷移状態を示すシーケンス（４ａ−４ｉ）を表示器（２）のシーケンス表示部（４）に表示させるシーケンス状態表示制御部（２７）とを含む疑似基地局装置において、
前記疑似基地局部（１３）を介した前記試験端末（８）と前記接続先（１０，１１，１２）との接続状態を前記通信の遷移状態に対応付けて前記シーケンス状態表示制御部（２７）によるシーケンスの表示にリンクさせて前記表示器（２）の接続状態表示部（５）に表示させる接続状態表示制御部（２９）を備えたことを特徴としている。
【００１６】
このように構成された疑似基地局装置においては、試験端末と接続先との間の一連の通信試験に関して疑似基地局部との間のシーケンスが表示されると共に、このシーケンスの表示に加えて試験端末と接続先との間の接続状態が通信の遷移状態に対応付けてシーケンスの表示にリンクして表示される。
【００１７】
上記課題を解決するために、本発明の請求項２の疑似基地局装置は、請求項１に記載の疑似基地局装置において、前記接続状態表示制御部（２９）によって前記表示器（２）の接続状態表示部（５）に表示される前記接続先のうち少なくとも１つが実際の接続先を模擬した仮想接続先（１０ａ，１１ａ，１２ａ）であることを特徴としている。
【００１８】
このように構成された疑似基地局装置においては、疑似基地局装置内に、試験端末に接続可能な接続先のうち少なくとも１つが実際の接続先を模擬した少なくとも１つの仮想接続先として組込まれているので、別途、試験端末に接続可能な実際の接続先を準備して、それを当該疑似基地局装置に接続する必要はない。
【００１９】
この結果、疑似基地局装置単独で試験端末に対する仮想接続先との通信試験を実施することができる。
【００２０】
上記課題を解決するために、本発明の請求項３の疑似基地局装置は、請求項１または請求項２に記載の疑似基地局装置において、前記接続状態表示制御部（２９）によって前記表示器（２）の接続状態表示部（５）に表示される前記試験端末（８）から前記疑似基地局部（１３）までの間の表示画面上における距離（Ｄ）を外部操作によって前記試験端末（８）を移動させて変化させるグラフィカルユーザインタフェース（ＧＵＩ）を含む試験端末移動手段（３４）と、
前記表示画面上において移動された前記試験端末（８）から前記疑似基地局部（１３）までの間の距離（Ｄ）に応じて前記疑似基地局部部（１３）から前記試験端末（８）への送信信号のレベルを変更する出力レベル設定手段（３８）とをさらに備えていることを特徴としている。
【００２１】
上記課題を解決するために、本発明の請求項４の疑似基地局装置は、請求項３に記載の疑似基地局装置において、前記出力レベル設定手段（３８）は、前記表示画面上の距離  （Ｄ）が所定の距離よりも長くなると、前記疑似基地局部（１３）からの前記試験端末  （８）に対する送信信号のレベルを当該距離に応じて低下させ、前記表示画面上の距離  （Ｄ）が所定の距離よりも短くなると前記疑似基地局部（１３）からの前記送信信号のレベルを当該距離に応じて上昇させることを特徴としている。
【００２２】
このように構成された疑似基地局装置においては、試験実施者は、ＧＵＩ手法を用いて、試験端末と疑似基地局部との表示画面上における距離を変更することにより、疑似基地局部から試験端末への送信信号のレベルを変更することが可能となり、実際の試験端末と基地局との関係を模擬できるので、試験端末に対する試験の種類の範囲を広げることが可能となる。
【００２３】
上記課題を解決するために、本発明の請求項５の疑似基地局装置は、請求項１乃至４のいずれか一に記載の疑似基地局装置において、前記接続可能な少なくとも１つの接続先  （１０，１１，１２）のうちの１つの接続先が電子メールサーバ（１１ａ）であるとき、前記電子メールサーバ（１１ａ）に対して電子メールの送受信を行うメールアプリケーション（４１ａ）と、
前記メールアプリケーション（４１ａ）が送受信を行う前記電子メールを前記表示器  （２）のメール画面表示部（４１）上に表示して外部操作により編集可能とする編集手段（３１，３２，３３）とをさらに備えていることを特徴としている。
【００２４】
このように構成された疑似基地局装置においては、試験端末が有する電子メールの機能を、疑似基地局シュミレータ装置内に設けられたメールアプリケーションと電子メールの交換を実施し、電子メールの作成、閲覧、編集、操作を用いて、確認（試験）することが可能である。
【００２５】
上記課題を解決するために、本発明の請求項６の疑似基地局装置は、請求項１乃至５のいずれか一に記載の疑似基地局装置において、前記接続可能な接続先（１０，１１，１２）のうちの少なくとも１つの接続先は他の疑似基地局装置（４３ａ）であることを特徴としている。
【００２６】
このように構成された疑似基地局装置においては、２台以上の疑似基地局装置を互いに接続し、各疑似基地局装置にそれぞれ試験端末を接続して、一方の疑似基地局装置の試験端末から相手側の疑似基地局装置に接続された試験端末を指定することにより、両方の試験端末を用いて、対向試験を実施することができる。
【００２７】
上記課題を解決するために、本発明の請求項７の疑似基地局装置は、請求項１乃至６のいずれか一に記載の疑似基地局装置において、前記シーケンス状態表示制御部（２７）は、前記シーケンス表示部（６）に表示させる前記通信手順及び通信の遷移状態を示すシーケンスとして、前記試験端末（８）の電源ＯＦＦ状態を示す「電源ＯＦＦ」シーケンス（４ａ）、前記試験端末（８）の位置登録解除状態を示す「位置登録解除」シーケンス（４ｂ）、前記試験端末（８）の位置登録状態を示す「位置登録」シーケンス（４ｃ）、前記試験端末（８）の待ち受け状態を示す「待ち受け状態」シーケンス（４ｄ）、前記試験端末  （８）の発信状態を示す「発信」シーケンス（４ｅ）、前記試験端末（８）の着信状態を示す「着信」シーケンス（４ｆ）、前記試験端末（８）の通信状態を示す「通信状態」シーケンス（４ｇ）、前記試験端末（８）からの切断状態を示す「ＵＥ（試験端末８）切断」シーケンス（４ｈ）、前記接続先（１０，１１，１２）からの切断状態を示す「ＮＷ（接続先）切断」シーケンス（４ｉ）で構成されている一連のシーケンス（４ａ〜４ｉ）を各シーケンス（４ａ−４ｉ）間で各通信手順及び通信状態の遷移方向を示す矢印を伴わせてフローチャート状に表示する際に遷移状態に応じて表示状態を変化させて表示させることを特徴としている。
【００２８】
このように構成された疑似基地局装置においては、試験端末と接続先（通信先）又は測定器との間に通信回線が形成されるまでの間に、試験端末との間で交わされる通信の手順及び通信の遷移状態、試験端末と接続先（通信先）又は測定器との間に通信回線が形成されてから、通信回線が切断され、元の状態に至るまでの間に、試験端末と接続先（通信先）又は測定器及び疑似基地局装置との間で交わされる通信の手順及び通信の遷移状態を表示器に一連のシーケンスとして表示しているので、試験実施者は、当該試験端末が一連の通信試験のうち、現在どの通信の手順及び通信の遷移状態にあるのかを一瞥して把握することができる。
【００２９】
上記課題を解決するために、本発明の請求項８の疑似基地局装置は、請求項１乃至７のいずれか一に記載の疑似基地局装置において、前記シーケンス状態表示制御部部（２７）によって前記表示器（２）の前記シーケンス表示部（６）に表示される前記シーケンス  （４ａ−４ｉ）として、前記試験端末（８）と前記疑似基地局部（１３）を介して接続された前記接続先（１０，１１，１２）との間の通信試験に関して、前記試験端末（８）と前記疑似基地局部（１３）との間における前記通信手順及び通信の遷移状態を示すシーケンス及び前記接続先（１０，１１，１２）と前記疑似基地局部（１３）との間における通信手順及び通信の遷移状態を示すシーケンスとのうちの少なくとも一方を選択可能であることを特徴としている。
【００３０】
このように構成された疑似基地局装置においては、試験実施者等は、必要に応じて、表示器のシーケンス表示部にシーケンスの内容を見たい場所を選択して表示させることが可能である。
【００３１】
上記課題を解決するために、本発明の請求項９の疑似基地局装置は、請求項１乃至８のいずれか一に記載の疑似基地局装置において、前記接続状態表示制御部（２９）は、前記接続状態表示部（５）に前記試験端末（８）、前記疑似基地局部（１３）及び前記仮想接続先としての仮想通話先（１０ａ）、仮想サーバ（１１ａ）、仮想ＴＶ電話（１２ａ）のうちの少なくとも一つをそれぞれ図形化して表示させると共に、前記接続状態表示部（５）に図形化して表示される前記疑似基地局部（１３）に対する前記試験端末（８）及び前記仮想通話先（１０ａ）、仮想サーバ（１１ａ）、仮想ＴＶ電話（１２ａ）のうちの少なくとも一つの間の複数の接続線を図形化して表示させ、且つ、前記複数の接続線を図形化して表示させる際に接続の有無に応じて表示状態を変化させて表示させることを特徴としている。
【００３２】
このように構成された疑似基地局装置においては、試験実施者等は、表示器に表示されるシーケンスとリンクして、試験端末と接続先との接続状態を外部から把握することができる。
【００３３】
上記課題を解決するために、本発明の請求項１０の疑似基地局装置は、請求項１乃至９のいずれか一に記載の疑似基地局装置において、前記通信回路の通信方式としてＷ−ＣＤＭＡ（Wideband Code Division Multiple Access）等の符号分割多元接続方式を使用するとき、前記疑似基地局部（１３）は、
前記試験端末（８）から受信部（１５ａ）を介して受信された信号をＲＦ入力処理するＲＦ入力部（１５ｃ）と、
前記ＲＦ入力部（１５ｃ）からの出力を受信処理する受信処理部（１６）と、
前記受信処理部（１６）内で前記ＲＦ入力部（１５ｃ）からの出力を低周波数化する入力ＩＦ処理部（１７）と、
前記入力ＩＦ処理部（１７）で低周波数化された信号を前記受信処理部（１６）内で順次に逆拡散及びデコード処理を行う逆拡散部（１８）及びデコーダ部（１９）と、
前記デコーダ部（１９）でデコードされたデータに基づいて、接続先選択等を含む交換機の機能を実行して、前記試験端末（８）の指定する前記接続先（１０，１１，１２）を呼出す接続先選択部（２１）が組込まれた通信制御部（２０）と、
前記通信制御部（２０）を介して前記接続先（１０，１１，１２）から入力されたデータを送信処理する送信処理部（２２）と、
前記送信処理部（２２）内で前記入力されたデータをコード化するコーダ部（２３）と、
前記送信処理部（２２）内で前記コーダ部（２３）でコード化されたデータを順次に拡散処理及び高周波数化処理を行う拡散部（２４）及び出力ＩＦ処理部（２５）と、
前記出力ＩＦ処理部（２５）で高周波数化処理された信号をＲＦ出力信号として出力するＲＦ出力部（１５ｄ）とを備え、
前記ＲＦ出力部（１５ｄ）から出力されたＲＦ出力信号は送信部（１５ｂ）を介して前記試験端末（８）に送信されることを特徴としている。
【００３４】
上記課題を解決するために、本発明の請求項１１の疑似基地局装置は、請求項１０に記載の疑似基地局装置において、前記疑似基地局部（１３）の前記通信制御部（２０）から前記試験端末（８）に対する通信試験における現在のシーケンス状態を検出するシーケンス状態検出部（２６）をさらに備え、
前記シーケンス状態表示制御部（２７）は、前記シーケンス状態検出部（２６）によって検出されたシーケンス状態に基づいて、前記試験端末（８）に対する通信試験における現在のシーケンス状態を前記シーケンス表示部（６）に表示させることを特徴としている。
【００３５】
上記課題を解決するために、本発明の請求項１２の疑似基地局装置は、請求項１０又は１１に記載の疑似基地局装置において、前記疑似基地局部（１３）の前記通信制御部（２０）から前記試験端末（８）に対する通信試験における現在の接続状態を検出する接続状態検出部（２８）をさらに備え、
前記接続状態表示制御部（２９）は、前記接続状態検出部（２８）によって検出された接続状態に基づいて前記試験端末（８）に対する通信試験における現在の接続状態を前記接続状態表示部（５）に表示させることを特徴としている。
【００３６】
上記課題を解決するために、本発明の請求項１３の疑似基地局装置は、請求項１乃至１２のいずれか一に記載の疑似基地局装置において、前記試験端末（８）が前記疑似基地局部（１３）を介して接続された少なくとも１つの接続先（１０，１１，１２）を示す接続先を表示する接続先表示部（６）をさらに備えていることを特徴としている。
【００３７】
上記課題を解決するために、本発明の請求項１４の疑似基地局装置は、被測定対象である試験端末（８）と接続可能な少なくとも１つの接続先（１０，１１，１２）との間に介挿され、前記試験端末（８）又は前記接続先（１０，１１，１２）からの、相手先を指定した発信により対応する前記試験端末（８）と前記接続先（１０，１１，１２）との間に通信回線を形成し、前記試験端末（８）又は前記接続先（１０，１１，１２）からの切断指示により、形成された前記回線を切断する疑似基地局部（１３）と、
前記試験端末（８）と前記疑似基地局部（１３）を介して接続された前記接続先（１０，１１，１２）との間の通信に関して、前記試験端末（８）と前記疑似基地局部（１３）との間、及び該接続された前記接続先（１０，１１，１２）と前記疑似基地局部（１３）との間における少なくとも１つの通信の手順及び通信の遷移状態を示すシーケンス（４ａ−４ｉ）を表示器（２）に表示するシーケンス表示部（２７）と、
前記試験端末（８）と前記疑似基地局部（１３）を介した各接続先（１０，１１，１２）との接続状態を前記表示器（２）に前記シーケンスに連動してに表示する接続状態表示部（２９）と、
を備えたことを特徴としている。
【００３８】
このように構成された疑似基地局装置においては、試験端末と接続先との間の通信に関して疑似基地局部との間のシーケンスの他に試験端末と接続先との間の接続状態がこのシーケンスに連動して表示される。
【発明の効果】
【００３９】
以上のような本発明による疑似基地局装置は、試験端末と接続先との間の通信試験に関するシーケンスを表示すると共に、このシーケンスの表示に加えて試験端末と接続先との間の接続状態がシーケンスの表示にリンクして表示している。
【００４０】
したがって、本発明による疑似基地局装置によれば、試験実施者等にとって、試験端末の一連の通信試験における現在の通信手順、及び試験端末の現在の接続状態が一瞥して把握でき、異常発生時における異常原因を短時間で究明でき、試験実施者等の作業性を大幅に向上させることができる。
【００４１】
また、本発明による疑似基地局装置によれば、試験端末を通して提供されるサービスの開発やその試験を行う者で、疑似基地局擬装置の使用に不慣れな者であっても、試験端末の現在の通信手順及び試験端末の接続状態を容易に把握することができる。
【発明を実施するための最良の形態】
【００４２】
以下、本発明による疑似基地局装置に関する幾つかの実施形態を図面を参照して説明する。
【００４３】
（第１実施形態）
図１は、本発明の第１実施形態に係わる疑似基地局装置４３の外観図である。
【００４４】
図１に示すように、この第１実施形態に係わる疑似基地局装置４３においては、筐体１の前面に表示器２及び操作パネル３が設けられている。
【００４５】
ここで、表示器２には、必要に応じて後述するようなシーケンス表示部４、接続状態表示部５、接続先表示部６が表示される。
【００４６】
さらに、筐体１の例えば、前面（以下「前面」として説明するが特に指定するものではない。）に試験端末８が接続される信号端子７、及び後述する接続先としての各機器が接続される信号端子９ａ、９ｂ、９ｃ、９ｄが設けられている。
【００４７】
以下、信号端子９ａ、９ｂ、９ｃ、９ｄは、複数あるものとして説明を行うが、接続形態によって信号端子数が異なる場合もある（例えば、イーサネット（登録商標）では共通に使用可能）。
【００４８】
そして、信号端子９ｂ、９ｃ、９ｄには、必要に応じて、図２に示すように、試験端末８に接続可能な接続先としての実際の通話先１０、サーバ１１、ＴＶ電話１２が接続される。
【００４９】
なお、この実際の通話先１０、サーバ１１、ＴＶ電話１２を信号端子９ｂ、９ｃ、９ｄに接続しなくても、この通話先１０、サーバ１１、ＴＶ電話１２の機能を有した図４に示す仮想通話先１０ａ、仮想サーバ１１ａ、仮想ＴＶ電話１２ａを当該疑似基地局装置４３の内部に組込むことによって、当該疑似基地局装置４３の内部に組込まれた仮想通話先１０ａ、仮想サーバ１１ａ、仮想ＴＶ電話１２ａによって各接続先の機能を果たすことが可能であり、各接続先の機能を組合わせることも可能である。
【００５０】
以下、この第１実施形態では、当該疑似基地局装置装置４３の内部に組込まれた各仮想接続先を用いて試験端末８に対する通信試験を実施する場合について説明する。
【００５１】
図３は、表示器２に表示されたシーケンス表示部４、接続状態表示部５、接続先表示部６の詳細を示す図である。
【００５２】
ここで、シーケンス表示部４には、図３に示すように、試験端末８と擬似基地局部１３を介しての仮想接続先１０ａ、１１ａ、１２ａとの通信に関して、試験端末８と擬似基地局部１３との間の通信手順及び通信の遷移状態を示す後述するような複数のシーケンス４ａ〜４ｉが表示される。
【００５３】
なお、表示されているシーケンス表示部４を、接続した仮想接続先１０ａ、１１ａ、１２ａのうちのどれか１つと擬似基地局部１３との間の通信手順及び通信の遷移状態を示すシーケンスの表示に切替える場合（後述）には、操作パネル３及び外部に接続した不図示のマウス等を使用して図示しない切替ボタンを選択したり、接続状態表示部５に表示されいる接続先を直接選択することによって、その切替え表示を実現することができる。
【００５４】
以降の説明では、シーケンス表示部４には、試験端末８と擬似基地局部１３との間の通信手順及び通信の遷移状態を示すシーケンスが表示されているものとして説明する。
【００５５】
具体的には、シーケンス表示部４には、図３に示すように、後述するシーケンス状態表示制御部２７によって、前記通信手順及び通信の遷移状態を示すシーケンスとして、前記試験端末の電源ＯＦＦ状態を示す「電源ＯＦＦ」シーケンス４ａ、前記試験端末の位置登録解除状態を示す「位置登録解除」シーケンス４ｂ、前記試験端末の位置登録状態を示す「位置登録」シーケンス４ｃ、前記試験端末の待ち受け状態を示す「待ち受け状態」シーケンス４ｄ、前記試験端末の発信状態を示す「発信」シーケンス４ｅ、前記試験端末の着信状態を示す「着信」シーケンス４ｆ、前記試験端末の通信状態を示す「通信状態」シーケンス４ｇ、前記試験端末からの切断状態を示す「ＵＥ：ｕｓｅｒ  ｅｑｕｉｐｍｅｎｔ（試験端末８）切断」シーケンス４ｈ、前記接続先からの切断状態を示す「ＮＷ；ｎｅｔｗｏｒｋ（接続先）切断」シーケンス４ｉで構成されている一連のシーケンスが各シーケンス間で各通信手順及び通信状態の遷移方向を示す矢印を伴わせてフローチャート状に表示される際に遷移状態に応じて表示状態を変化させて表示されるようになされている。
【００５６】
なお、シーケンス表示部４中の各シーケンス４ａ〜４ｉ間の矢印は、各通信手順及び通信状態の遷移方向を示す。
【００５７】
ここで、各シーケンスが遷移状態に応じて表示状態を変化させて表示されるとは、該当するシーケンスの遷移状態になったときに、それまでの表示状態とは異なる表示状態として、例えば、表示色を変えたり、表示輝度を変えて表示されるようになされていることを意味している。
【００５８】
以下では、説明の単純化のために、それまでの表示状態が非点灯状態であると仮定して、該当するシーケンスの遷移状態になったときに、該当するシーケンスの表示状態が点灯状態になるとして説明する。
【００５９】
また、接続状態表示部５には、図３に示すように、試験端末８と疑似基地局部１３を介した各仮想接続先との接続状態が表示される。
【００６０】
具体的には、接続状態表示部５には、後述する接続状態表示制御部２９によって、前記試験端末８、前記疑似基地局部１３、前記仮想接続先としての仮想通話先１０ａ、仮想サーバ１１ａ、仮想ＴＶ電話１２ａがそれぞれ図形化したアイコンとして表示されると共に、前記疑似基地局部１３に対する前記試験端末８、前記仮想通話先１０ａ、仮想サーバ１１ａ、仮想ＴＶ電話１２ａそれぞれの間の複数の接続線１４を図形化して表示する際に接続の有無に応じて表示状態を変化させて表示されるようになされている。
【００６１】
ここで、複数の接続線１４を図形化して表示する際に接続の有無に応じて表示状態を変化させて表示されるとは、接続の有無に応じて該当する接続線１４の表示色を変えたり、表示輝度を変えて表示されるようになされていることを意味している。
【００６２】
以下では、説明の単純化のために、該当する接続線１４が接続されていないときの表示状態が非点灯状態であると仮定して、該当する接続線１４が接続になったときに、その表示状態が点灯状態になるとして説明する。
【００６３】
そして、試験端末８が疑似基地局部１３を介して接続された一つの仮想接続先を示す接続先表示部６は、表示部６ａと操作部６ｂとで構成されている接続先を表示する。
【００６４】
この図３において、接続先表示部６には、仮想通話先１０ａが接続先として選択された状態として仮想通話先１０ａが図形化して示されている。
【００６５】
図４は、この第１実施形態による疑似基地局装置４３の概略構成を示すブロック図である。
【００６６】
すなわち、図４に示すように、試験端末８からの信号は受信部１５ａで受信されて疑似基地局部１３へ入力される。
【００６７】
疑似基地局部１３からの信号は、送信部１５ｂを介して試験端末８に送信される。
【００６８】
図５は、通信方式としてＷ−ＣＤＭＡ（Wideband Code Division Multiple Access）等の符号分割多元接続方式を使用する場合の疑似基地局部１３の概略構成を示すブロック図である。
【００６９】
すなわち、この疑似基地局部１３は、試験端末８から受信部１５ａを介して受信された信号をＲＦ（高周波）入力処理するＲＦ入力部１５ｃと、このＲＦ入力部１５ｃからの出力を受信処理する受信処理部１６と、この受信処理部１６内で前記ＲＦ入力部１５ｃからの出力を低周波数化するための入力ＩＦ（中間周波数）処理する入力ＩＦ処理部１７と、この入力ＩＦ処理部１７で低周波数化された信号を受信処理部１６内で順次に逆拡散及びデコード処理を行う逆拡散部１８及びデコーダ部１９と、前記デコーダ部１９でデコードされたデータに基づいて、接続先選択等を含む交換機の機能を実行して、試験端末８の指定する前記仮想接続先１０ａ、１１ａ、１２ａ（接続先１０、１１、１２でもよい）を呼出す接続先指定部２１が組込まれている通信制御部２０と、この通信制御部２０を介して前記仮想接続先１０ａ、１１ａ、１２ａ（接続先１０、１１、１２でもよい）から入力されたデータを送信処理する送信処理部２２と、この送信処理部２２内で前記入力されたデータをコード化するコーダ部２３と、送信処理部２２内のコーダ部２３でコード化されたデータを順次に拡散処理及び高周波数化処理を行う拡散部２４及び出力ＩＦ処理部２５と、この出力ＩＦ処理部２５で高周波数化処理された信号をＲＦ出力信号として出力するＲＦ出力部１５ｄとを備えている。
【００７０】
すなわち、以上のように構成される疑似基地局部１３において、前記ＲＦ出力部１５ｄからのＲＦ出力信号は送信部１５ｂを介して前記試験端末８に送信される。
【００７１】
この疑似基地局部１３においては、受信部１５ａで受信された受信信号はＲＦ入力部１５ｃを介して受信処理部１６内の入力ＩＦ処理部１７へ入力される。
【００７２】
そして、この受信信号は、入力ＩＦ処理部１７で低周波数化された後に、逆拡散を行う逆拡散部１８、デコード処理を行うデコーダ部１９を介して、デコードされたデータとして通信制御部２０へ入力される。
【００７３】
ここで、接続先指定部２１が組込まれている通信制御部２０は、デコーダ部１９でデコードされたデータに基づいて、接続先選択等を含む交換機の機能を実行して、試験端末８の指定する仮想接続先１０ａ、１１ａ、１２ａ（接続先１０、１１、１２でもよい）を呼出す。
【００７４】
この場合、通信制御部２０は、仮想接続先１０ａ、１１ａ、１２ａ（接続先１０、１１、１２でもよい）のいずれかが指定する試験端末８を呼出すことも可能である。
【００７５】
また、通信制御部２０は、仮想接続先１０ａ、１１ａ、１２ａ（接続先１０、１１、１２でもよい）から入力されたデータを、送信処理部２２内のコーダ部２３へ送出する。
【００７６】
そして、コーダ部２３でコード化されたデータは、拡散処理を行う拡散部２４、高周波数化処理を行う出力ＩＦ処理部２５、ＲＦ出力部１５ｄを介して、送信部１５ｂへ出力される。
【００７７】
図４におけるシーケンス状態検出部２６は、疑似基地局部１３の通信制御部２０から試験端末８に対する通信試験における現在のシーケンス状態を検出する。
【００７８】
そして、このシーケンス状態検出部２６によって検出されたシーケンス状態は、シーケンス状態表示制御部２７を介して、試験端末８に対する通信試験における現在のシーケンス状態として表示器２のシーケンス表示部４に表示される。
【００７９】
また、接続状態検出部２８は、疑似基地局部１３の通信制御部２０から試験端末８に対する通信試験における現在の接続状態を検出する。
【００８０】
そして、この接続状態検出部２８によって検出された接続状態は、接続状態表示制御部２９を介して、試験端末８に対する通信試験における現在の接続状態として表示器２の接続状態表示部５に表示される。
【００８１】
疑似基地局部１３の通信制御部２０には、仮想通話先１０ａ、仮想サーバ１１ａ、仮想ＴＶ電話１２ａ、及び接続先の装置とのインタフェースとして信号を変換するための信号変換部４５を介して各信号端子９ｂ、９ｃ、９ｄが接続されている。
【００８２】
接続先選択部３０は、接続状態検出部２８で検出された試験端末８に対する通信試験における現在の接続状態から現在の仮想接続先（１０ａ、１１ａ、１２ａ）を選択する。
【００８３】
そして、この接続先選択部３０によって選択された仮想接続先は、接続先表示制御部３１を介して、試験端末８に対する通信試験における現在の接続先として表示器２の接続先表示部６に表示される。
【００８４】
表示器２における接続先表示部６の前面には、タッチパネル３２が貼付けられ、試験実施者がタッチパネル３２を介して操作部６ｂを操作すると、操作検出部３３が操作情報を検出して、接続先選択部３０を介して対応する仮想接続先（１０ａ、１１ａ，１２ａ）へ送出する。
【００８５】
操作パネル３と共に試験端末移動入力部１３０を構成するグラフィカルユーザインタフェース（ＧＵＩ）３４及びアイコン移動制御部３５は、試験実施者による操作パネル３の操作に応じて、図１２に示すように、表示器２の接続状態表示部５に図形化したアイコンとして表示されている試験端末８を図示矢印で示すように移動させて試験端末８と部（ＮＷ）１３との表示画面上の距離Ｄを変化させる。
【００８６】
この試験端末８と疑似基地局部（ＮＷ）１３との表示画面上の距離Ｄは、距離検出部３６によって検出される。
【００８７】
出力レベル算出部３７は、距離検出部３６によって検出された距離Ｄに基づいて、疑似基地局部１３から試験端末８に対する送信信号の出力レベルを算出する。
【００８８】
出力レベル設定部３８は、算出された出力レベルを疑似基地局部１３内のＲＦ出力部１５ｄへ設定する。
【００８９】
具体的には、出力レベル設定部３８は、表示された距離Ｄが所定の距離よりも長くなると疑似基地局部１３からの記験端末８に対する送信信号のレベルを距離に応じて低下させると共に、表示された距離Ｄが所定の距離よりも短くなると疑似基地局部１３からの送信信号のレベルを距離に応じて上昇させるようにする。
【００９０】
これにより、実際の試験端末と基地局との関係を模擬することができるので、試験端末８に対する試験の種類の範囲を広げることが可能となる。
【００９１】
この試験端末８と疑似基地局部１３との表示画面上の距離Ｄを変化させる操作は、操作パネル３以外に、外部に接続されたマウス等により行うようにしてもよい。
【００９２】
そして、本発明による疑似基地局装置４３は、基本的には、被測定対象である試験端末８と該試験端末８に接続可能な少なくとも１つの接続先１０，１１，１２（仮想接続先１０ａ，１１ａ，１２ａでもよい。以下同じ）との間に介挿され、前記試験端末８と前記接続先１０，１１，１２とのいずれか一方から他方に対する接続要求に応じて前記試験端末８と前記接続先１０，１１，１２との間に通信回線を形成すると共に、前記いずれか一方又は前記他方からの切断要求に応じて前記通信回線を切断する少なくとも１つの疑似基地局としての機能を有する疑似基地局部１３と、前記疑似基地局部１３によって形成された前記通信回線を介して接続された前記試験端末８と前記接続先１０，１１，１２との間の一連の通信試験に関して、前記試験端末８と前記疑似基地局部１３との間、及び前記接続先１０，１１，１２と前記疑似基地局部１３との間における少なくとも１つの通信の手順及び通信の遷移状態を示すシーケンス４ａ〜４ｉを表示器２のシーケンス表示部４に表示させるシーケンス状態表示制御部２７と、前記疑似基地局部１３を介した前記試験端末８と前記接続先１０，１１，１２との接続状態を前記通信の遷移状態に対応付けて前記シーケンス状態表示制御部２７によるシーケンスの表示にリンク（連動）させて前記表示器２の接続状態表示部５に表示させる接続状態表示制御部２９とを有している。
【００９３】
次に、以上のように構成された第１実施形態の疑似基地局装置４３における、例えば、移動通信端末からなる試験端末８に対して一連の通信試験を行うために、試験実施者が行う各操作と表示器２の表示状態の変遷を図６乃至図１１を用いて説明する。
【００９４】
先ず、試験実施者が、前述のように、試験端末８を疑似基地局装置４３の信号端子７に接続し、該疑似基地局装置４３を起動する。
【００９５】
これにより、図６に示すように、表示器２のシーケンス表示部４における「電源ＯＦＦ」シーケンス４ａが試験端末８の現在の遷移状態を示すものとして点灯する。
【００９６】
なお、この状態においては、接続状態表示部５の各接続線１４は点灯していない。但し、試験端末８が未接続の状態でも同様な表示となってもよい。
【００９７】
次に、試験実施者が試験端末８の電源を投入すると、図７に示すように、シーケンス表示部４における「位置登録」シーケンス４ｃが短時間点灯し、続いて「待ち受け状態」シーケンス４ｄが点灯する。
【００９８】
続いて、試験実施者が試験端末８をダイヤル操作して接続先（１０ａ、１１ａ、１２ａ）のうちの一つを指定すると、図８に示すように、シーケンス表示部４における「発信」シーケンス４ｅが点灯すると同時に、接続状態表示部５に表示されている試験端末８と疑似基地局部（ＮＷ）１３との間の接続線１４が点滅する。
【００９９】
なお、疑似基地局部（ＮＷ）部１３から試験端末８が指定された呼び出し信号が入力された場合には、シーケンス表示部４における「着信」シーケンス４ｆが点灯する。
【０１００】
例えば、試験実施者が接続先（１０ａ、１１ａ、１２ａ）として仮想通話先１０ａを指定すると、図９に示すように、接続先表示部６には仮想通話先１０ａが表示される。
【０１０１】
試験実施者が、接続先表示部６に表示された操作部６ｂでオフフック操作をタッチパネル３２等を使用して表示画面上で行うと、疑似基地局部１３を介して試験端末８と仮想通話先１０ａとの間で通信回線が形成される。
【０１０２】
これにより、図９に示すように、シーケンス表示部４における「通信状態」シーケンス４ｇが点灯すると同時に、接続状態表示部５における試験端末８と疑似基地局部（ＮＷ）１３との間の接続線１４、及び疑似基地局部（ＮＷ）１３と仮想通話先１０ａとの間の接続線１４が点灯する。
【０１０３】
なお、仮想通話先１０ａが呼び出し中のときには、それが識別可能となるように、仮想通話先１０ａと疑似基地局部（ＮＷ）１３との間の接続線１４を点滅させてもよい。
【０１０４】
そして、通信回線が形成された状態における試験端末８と接続先としての仮想通話先１０ａとの間で、疑似基地局部１３を介して通信品質、通話品質、及び提供サービスの実施状態等の一連の確認試験が終了すると、試験実施者は、試験端末８をオンフック操作して通信回線を切断する。
【０１０５】
これにより、図１０に示すように、シーケンス表示部４における「ＵＥ切断」シーケンス４ｈが点灯すると同時に、接続状態表示部５における試験端末８と疑似基地局部（ＮＷ）１３との間の接続線１４が点滅する。
【０１０６】
なお、接続先としての仮想通話先１０ａ側から通信回線を切断した場合には、シーケンス表示部４における「ＮＷ切断」シーケンス４ｉが点灯し、接続状態表示部５における仮想通話先１０ａと疑似基地局部（ＮＷ）１３との間の接続線１４が点滅する。
【０１０７】
そして、試験端末８と接続先としての仮想通話先１０ａとの間の通信回線が完全に切断されると、図１１に示すように、シーケンス表示部４における「待ち受け状態」シーケンス４ｄが点灯し、接続状態表示部５における試験端末８と疑似基地局部（ＮＷ）１３との間の接続線１４、及び疑似基地局部（ＮＷ）１３と仮想通話先１０ａとの間の接続線１４が消灯する。
【０１０８】
また、接続先としての仮想通話先１０ａ側から試験端末８に対して接続要求を行う場合も、試験実施者が、上述した説明と同様な手順（但し、向きが逆になる）で接続先表示部６に表示された操作部６ｂから操作を行うことにより、仮想通話先１０ａ側から接続が開始され、仮想通話先１０ａと接続状態表示部５における疑似基地局部（ＮＷ）１３との間の接続線１４が点滅した後に通信回線が形成される。
【０１０９】
このときシーケンス表示部４には、試験端末８側が選択されている場合（上述の説明の状態のまま）には、疑似基地局部１３と試験端末８との間の着信動作に関する表示が行われる。
【０１１０】
また、操作パネル３及び外部に接続された不図示のマウス等により接続状態表示部５に表示された仮想通話先１０ａを示す表示を選択したり、不図示の切替ボタンを選択すると、シーケンス表示部４には仮想通話先１０ａと疑似基地局部１３との間の発信動作及び着信動作に関する表示が行われる。
【０１１１】
上記シーケンス表示部４の表示の選択操作にて試験端末８と仮想通話先１０ａとの両方を選択した場合には、試験端末８と疑似基地局部１３との間と、仮想通話先１０ａと疑似基地局部１３との間とのそれぞれの通信手順及び通信の遷移状態を示す２つのシーケンスの表示が行われることになる。
【０１１２】
このように、表示器２には、シーケンス状態表示制御部２７によってシーケンス表示部４に表示される試験端末８と接続先（１０ａ、１１ａ、１２ａ）との間の通信に関する  「電源ＯＦＦ」シーケンス４ａ、「位置登録解除」シーケンス４ｂ、「位置登録」シーケンス４ｃ、「待ち受け状態」シーケンス４ｄ、「発信」シーケンス４ｅ、「着信」シーケンス４ｆ、「通信状態」シーケンス４ｇ、「ＵＥ（試験端末８）切断」シーケンス４ｈ、「ＮＷ（接続先）切断」シーケンス４ｉに加えて、接続状態表示制御部２９によって接続状態表示部５に表示される試験端末８と接続先（１０ａ、１１ａ、１２ａ）との間の接続状態が前記シーケンスの表示にリンクして表示される。
【０１１３】
なお、シーケンス状態表示制御部２７によってシーケンス表示部４に表示されるシーケンスの内容は、シーケンスを表示するために選択した場所（例えば、仮想通話先１０ａ又は仮想サーバ１１ａ又は仮想ＴＶ電話１２ａと疑似基地局部１３との間）に応じて上述したシーケンス４ａ〜４ｉの内容とは異なる場合もある。
【０１１４】
したがって、試験実施者は、表示器２にシーケンスの表示とリンク（連動）して表示される接続状態の表示に基づいて、試験端末８に対する一連の通信試験における現在の通信手順及び接続状態を一瞥して把握することができ、異常発生時における異常原因を短時間で究明でき、試験実施者の作業性を大幅に向上させることができる。
【０１１５】
また、試験実施者は、例えば、表示器２のシーケンス表示部４に表示される「待ち受け状態」シーケンス４ｄ、「通信状態」シーケンス４ｇにおいて、表示器２の接続状態表示部５に表示される試験端末８を移動させて疑似基地局部（ＮＷ）１３との表示画面上の距離Ｄを操作パネル３とＧＵＩ３４とから構成される試験端末移動入力部１３０及びアイコン移動制御部３５で変更して、疑似基地局部（ＮＷ）１３からの試験端末８に対する送信信号のレベルを変更することが可能である。
【０１１６】
したがって、試験実施者は、試験端末８と疑似基地局部（ＮＷ）１３との間の距離が変化したことにより、疑似基地局部（ＮＷ）１３からの送信信号のレベル変化の影響を受けて、そのときの試験端末８に対する通信試験における通信手順及び通信の遷移状態を示すシーケンスと接続状態が変化した場合でも、それらの変化をシーケンス表示部４と接続状態表示部５による表示によって簡単に把握することができる。
【０１１７】
なお、前述したように、この疑似基地局装置４３は、仮想通話先１０ａ、仮想サーバ１１ａ、仮想ＴＶ電話１２ａの代わりに、各信号端子９ｂ、９ｃ、９ｄに接続された実際の通話先１０、サーバ１１、ＴＶ電話１２を用いて試験端末８に対する通信試験を実施することも可能である。
【０１１８】
（第２実施形態）
図１３は、本発明の第２実施形態に係わる疑似基地局装置４３の外観図である。
【０１１９】
この図１３において、前述した図１に示す第１実施形態の疑似基地局装置４３と同一部分には同一符号を付して重複する部分の詳細説明を省略する。
【０１２０】
この第２実施形態の疑似基地局装置４３においては、表示器２に、必要に応じて、シーケンス表示部４、接続状態表示部５、メール画面表示部４１が表示される。
【０１２１】
このうちメール画面表示部４１には、図１４に送信メール作成時の画面を例として示すように、表示部４２ａと入力部４２ｂとが表示されている。
【０１２２】
図１５は、第２実施形態の疑似基地局装置４３の概略構成を示すブロック図である。
【０１２３】
この図１５において、前述した図４に示す第１実施形態の疑似基地局装置４３と同一部分には同一符号を付して重複する部分の詳細説明を省略する。
【０１２４】
この第２実施形態の疑似基地局装置４３においては、接続先の一つである仮想サーバ１１ａとして電子メールサーバが採用されており、この電子メールサーバにメールアプリケーション４１ａが接続されている。
【０１２５】
接続先表示制御部３１は、選択された仮想接続先を表示器２に現在の接続先として表示するとともに、仮想サーバ１１ａが選択された場合には、仮想サーバ１１ａに接続するメールアプリケーション４１ａによるメール画面表示部４１を図１４に示すように表示器２に表示する。
【０１２６】
この表示器２にメール画面表示部４１が表示された状態において、電子メールサーバが受信した電子メールの内容を閲覧したり、タッチパネル３２を介して入力部４２ｂを操作して、表示部４２ａに電子メールによる送信内容を書込むことを含む編集作業を行うことが可能である。
【０１２７】
そして、表示部４２ａに書込まれた送信内容は、送信ボタンの押下を操作検出部３３が検出して、電子メールサーバとしての仮想サーバ１１ａを介して宛先に指定されたメールアドレスへ送出される。
【０１２８】
すなわち、試験実施者は、メール画面表示部４１を表示画面上で操作することにより、電子メールサーバとしての仮想サーバ１１ａに対して電子メールの送受信を実施することができる。
【０１２９】
このような構成の第２実施形態の疑似基地局装置４３において、試験実施者が電子メールの送受信機能を有する試験端末８を操作して、接続先として電子メールサーバとしての仮想サーバ１１ａの管理するメールアドレスを指定して電子メールを送信すると、試験端末８は疑似基地局部１３を介して電子メールサーバの仮想サーバ１１ａに接続される。
【０１３０】
これにより、試験端末８から送信された電子メールは仮想サーバ１１ａに渡されて、それの該当するメールアドレスのアカウントに蓄えられる。
【０１３１】
仮想サーバ１１ａの該当するメールアドレスのアカウントに蓄えられた電子メールは、メールアプリケーション４１ａにより取出されて、表示器２に表示されたメール画面表示部４１の表示部４１ａに表示される。
【０１３２】
また、試験端末８による電子メール受信では、試験実施者がメール画面表示部４１で入力部４１ｂから試験端末８のメールアドレスを指定すると共に、送信操作を行うことにより、試験端末８のメールアドレスのアカウントに送信される。
【０１３３】
試験端末８に送信された電子メールは、電子メールサーバとしての仮想サーバ１１ａに蓄えられる。
【０１３４】
電子メールサーバの仮想サーバ１１ａが、試験端末８を呼出す機能を有する場合には、その機能を用いて試験端末８を呼出すことにより、試験端末８は電子メールサーバとしての仮想サーバ１１ａからの電子メールを受信することができる。
【０１３５】
なお、電子メールサーバとしての仮想サーバ１１ａが、試験端末８を呼出す機能を有さない場合には、試験端末８から仮想サーバ１１ａに接続を要求することにより、試験端末８は電子メールサーバとしての仮想サーバ１１ａからの電子メールを取出して受信することができる。
【０１３６】
したがって、試験実施者は試験端末８が有する電子メールの機能を、疑似基地局装置４３内に設けられたメールアプリケーション４１ａと電子メールの交換を実施することによってその動作を確認（試験）することが可能である。
【０１３７】
なお、電子メールサーバとしての仮想サーバ１１ａの代わりに、信号端子９ｃに接続された実際のサーバ１１を使用することも可能である。
【０１３８】
（第３実施形態）
図１６は、本発明の第３実施形態に係わる２台１組の疑似基地局装置４３、４３ａの外観図である。
【０１３９】
この図１６において、前述した図１に示す第１実施形態の疑似基地局装置４３と同一部分には同一符号を付して重複する部分の詳細説明を省略する。
【０１４０】
この第３実施形態においては、一方の疑似基地局装置４３と同一構成の他方の疑似基地局装置４３ａと２台１組として使用される。
【０１４１】
これらの疑似基地局装置４３、４３ａは、互いの信号端子９ａ，９ａが信号ケーブル４４で接続されている。
【０１４２】
そして、一方の疑似基地局装置４３の信号端子７には試験端末８が接続され、他方の疑似基地局装置４３ａの信号端子７には別の試験端末８ａが接続されている。
【０１４３】
各疑似基地局装置４３、４３ａのそれぞれの表示器２には、図１７に示すように、それぞれ、シーケンス表示部４、接続状態表示部５、接続先表示部６が表示される。
【０１４４】
このうち各疑似基地局装置４３、４３ａの接続状態表示部５には、それぞれ、試験端末８（８ａ）、疑似基地局部１３、仮想通話先１０ａ、仮想サーバ１１ａ、仮想ＴＶ電話１２ａ、複数の接続線１４に加えて互いに相手側の疑似基地局装置４３ａ（４３）とで構成されている接続状態が表示される。
【０１４５】
図１８は、第３実施形態の一方の疑似基地局装置４３の概略構成を示すブロック図である。
【０１４６】
この図１８において、前述した図４に示す第１実施形態の疑似基地局装置４３と同一部分には同一符号を付して重複する部分の詳細説明を省略する。
【０１４７】
この第３実施形態の一方の疑似基地局装置４３においては、疑似基地局部１３の通信制御部２０（図５参照）には、仮想通話先１０ａ、仮想サーバ１１ａ、仮想ＴＶ電話１２ａ、接続先の装置とのインタフェースとして信号を変換するための信号変換部４５を介して接続された各信号端子９ｂ、９ｃ、９ｄに加えて、信号端子９ａを介して、相手側の疑似基地局装置４３ａの信号端子９ａに信号ケーブル４４で接続されている。
【０１４８】
次に、以上のように構成された第３実施形態による２台１組の疑似基地局装置４３、４３ａを用いて、２台の試験端末８、８ａの対向試験を試験実施者が行う各操作と、各疑似基地局装置４３、４３ａの表示器２の表示状態の変遷を図１９乃至図２２を用いて説明する。
【０１４９】
先ず、試験実施者は、前述のように各試験端末８，８ａを各疑似基地局装置４３、４３ａの信号端子７に接続した後、各疑似基地局装置４３、４３ａを起動すると共に、各試験端末８、８ａの電源を投入する。
【０１５０】
これにより、図１９に示すように、各疑似基地局装置４３、４３ａのシーケンス表示部４における「位置登録」シーケンス４ｃが短時間点灯し、続いて「待ち受け状態」シーケンス４ｄが点灯する。
【０１５１】
この状態で、試験実施者が、一方の疑似基地局装置４３側の試験端末８をダイヤル操作して相手側の試験端末８ａを指定すると、図２０に示すように、当該疑似基地局装置４３側においては、シーケンス表示部４における「発信」シーケンス４ｅが点灯すると同時に、接続状態表示部５の試験端末８と疑似基地局１３との間の接続線１４が点滅する。
【０１５２】
他方の疑似基地局装置４３ａ側においては、シーケンス表示部４における「着信」シーケンス４ｆが点灯すると同時に、接続状態表示部５の疑似基地局部（ＮＷ）１３と一方の疑似基地局装置４３との間の接続線１４が点滅する。
【０１５３】
そして、他方の試験端末８ａにおいては着信音が鳴る。
【０１５４】
このとき、発信側の疑似基地局装置４３においては、疑似基地局部（ＮＷ）１３と他方の疑似基地局装置４３ａとの間の接続線１４を点滅表示させてもよいと共に、他方の疑似基地局装置４３ａにおいては、疑似基地局部（ＮＷ）１３と試験端末８ａとの間の接続線１４も点滅表示させてもよい。
【０１５５】
試験実施者が他方の試験端末８ａでオフフック操作を行うと、一方の試験端末８に対して、一方の疑似基地局装置４３側の疑似基地局部（ＮＷ）１３、他方の疑似基地局装置４３ａ側の疑似基地局部（ＮＷ）１３を介して他方の試験端末８ａとの間で通信回線が形成される。
【０１５６】
その結果、図２１に示すように、一方の疑似基地局装置４３側においては、シーケンス表示部４における「通信状態」シーケンス４ｇが点灯すると同時に、接続状態表示部５の試験端末８と疑似基地局部（ＮＷ）１３との間の接続線１４及び疑似基地局部（ＮＷ）１３と他方の疑似基地局装置４３ａとの間の接続線１４が点灯する。
【０１５７】
他方の疑似基地局装置４３ａ側においては、シーケンス表示部４における「通信状態」シーケンス４ｇが点灯すると同時に、接続状態表示部５の試験端末８ａと疑似基地局部  （ＮＷ）１３との間の接続線１４及び疑似基地局部（ＮＷ）１３と一方の疑似基地局装置４３との間の接続線１４が点灯する。
【０１５８】
そして、試験実施者は、通信回線が形成された状態における試験端末８、８ａ間で、２台の疑似基地局装置４３、４３ａを介して、通信品質、通話品質、及び提供サービスの実施状態等の一連の確認試験が終了すると、試験端末８をオンフック操作して通信回線を切断する。
【０１５９】
すると、図２２に示すように、一方の疑似基地局装置４３側においては、シーケンス表示部４における「ＵＥ切断」シーケンス４ｈが点灯すると同時に、接続状態表示部５における試験端末８と疑似基地局部（ＮＷ）１３との間の接続線１４が点滅する。
【０１６０】
他方の疑似基地局装置４３ａ側においては、シーケンス表示部４における「ＮＷ切断」シーケンス４ｉが点灯すると同時に、接続状態表示部５の疑似基地局部（ＮＷ）１３と一方の疑似基地局装置４３との間の接続線１４が点滅する。
【０１６１】
そして、試験端末８、８ａ間の通信回線が完全に切断されると、２台の疑似基地局装置４３、４３ａにおけるの各シーケンス表示部４，４における「待ち受け状態」シーケンス４ｄ，４ｄが点灯し、各接続状態表示部５，５における試験端末８、８ａと疑似基地局  （ＮＷ）部１３との間の接続線１４、及び疑似基地局部（ＮＷ）１３と各疑似基地局装置４３，４３ａとの間の接続線１４が消灯する。
【０１６２】
なお、ここまで説明した接続線１４の表示形態はあくまでも一例であり、接続の進捗状況が識別可能であれば、点滅や点灯の順序、点滅方法、色、明るさを変えて表示するようにしてもよい。
【０１６３】
このように構成された第３実施形態においては、試験実施者は、２台１組の疑似基地局装置４３，４３ａを用いて、２台の試験端末８、８ａの対向試験を簡単に実施することができ、かつ、各シーケンス表示部４，４及び各接続状態表示部５，５による表示に基づいて対向試験実行段階における各試験端末８、８ａの詳細なシーケンス、及び詳細な接続状態をそれぞれ区別して確認することが可能となる。
【０１６４】
なお、ここまでの説明では、それぞれ同一構成の２台１組の疑似基地局装置４３、４３ａにおける接続について説明を行ってきたが、信号ケーブル４４の途中に分配器（例えば、イーサネット（登録商標）で接続する場合はハブ）を使用することにより、それぞれ同一構成の２台以上の疑似基地局装置４３、４３ａ、…を接続することができる。
【０１６５】
この場合も、試験実施者による接続先の決定は試験端末８、８ａ等のダイヤル操作で行うことができる。
【０１６６】
また、それぞれ同一構成の３台以上の疑似基地局装置４３、４３ａ、…を接続することによって、３台以上の試験端末８、８ａ、…で同時に通話が可能となる三者通話等の試験も可能となる。
【図面の簡単な説明】
【０１６７】
【図１】図１は、本発明の第１実施形態に係わる疑似基地局装置の外観図であり、
【図２】図２は、図１の疑似基地局装置に実際の接続先を接続した状態を示す図であり、
【図３】図３は、図１の疑似基地局装置における表示器の表示内容を示す図であり、
【図４】図４は、図１の疑似基地局装置の概略構成を示すブロック図であり、
【図５】図５は、図１の疑似基地局装置に組込まれた疑似基地局部の詳細構成を示すブロック図であり、
【図６】図６は、図１の疑似基地局装置における表示器に表示されたシーケンスと接続関係を示す図であり、
【図７】図７は、図１の疑似基地局装置における表示器に表示されたシーケンスと接続関係を示す図であり、
【図８】図８は、図１の疑似基地局装置における表示器に表示されたシーケンスと接続関係を示す図であり、
【図９】図９は、図１の疑似基地局装置における表示器に表示されたシーケンスと接続関係を示す図であり、
【図１０】図１０は、図１の疑似基地局装置における表示器に表示されたシーケンスと接続関係を示す図であり、
【図１１】図１１は、図１の疑似基地局装置における表示器に表示されたシーケンスと接続関係を示す図であり、
【図１２】図１２は、図１の疑似基地局装置における表示器の表示内容を示す図であり、
【図１３】図１３は、本発明の第２実施形態に係わる疑似基地局装置の外観図であり、
【図１４】図１４は、図１３の疑似基地局装置における表示器に表示される表示内容の詳細を示す図であり、
【図１５】図１５は、図１３の疑似基地局装置の概略構成を示すブロック図であり、
【図１６】図１６は、本発明の第３実施形態に係わる疑似基地局装置の外観図であり、
【図１７】図１７は、図１６の疑似基地局装置における表示器の表示内容を示す図であり、
【図１８】図１８は、図１６の疑似基地局装置の概略構成を示すブロック図であり、
【図１９】図１９は、図１６の疑似基地局装置を用いた対向試験実施時における表示器に表示されたシーケンスと接続関係を示す図であり、
【図２０】図２０は、図１６の疑似基地局装置を用いた対向試験実施時における表示器に表示されたシーケンスと接続関係を示す図であり、
【図２１】図２１は、図１６の疑似基地局装置を用いた対向試験実施時における表示器に表示されたシーケンスと接続関係を示す図であり、
【図２２】図２２は、図１６の疑似基地局装置を用いた対向試験実施時における表示器に表示されたシーケンスと接続関係を示す図である。
【符号の説明】
【０１６８】
１…筐体、
２…表示器、
３…操作パネル、
４…シーケンス表示部、
５…接続状態表示部、
６…接続先表示部、
８、８ａ…試験端末、
１０…通話先、
１０ａ…仮想通話先、
１１…サーバ、
１１ａ…仮想サーバ、
１２…ＴＶ電話、
１２ａ…仮想ＴＶ電話、
１３…疑似基地局部、
１４…接続線、
１６…受信処理部、
２０…通信制御部、
２２…送信処理部、
２６…シーケンス状態検出部、
２７…シーケンス状態表示制御部、
２８…接続状態検出部、
２９…接続状態表示制御部、
３０…接続先選択部、
３１…接続先表示制御部、
３２…タッチパネル、
３３…操作検出部、
３４…グラフィカルユーザインタフェース（ＧＵＩ）、
３５…アイコン移動制御部、
３６…距離検出部、
３７…出力レベル算出部、
３８…出力レベル設定部、
４１…メール画面表示部、
４１ａ…メールアプリケーション、
４３、４３ａ…疑似基地局装置、
４５…信号変換部、
１３０…試験端末移動入力部。
【図１】
2006050567.tif 000003
【図２】
2006050567.tif 000004
【図３】
2006050567.tif 000005
【図４】
2006050567.tif 000006
【図５】
2006050567.tif 000007
【図６】
2006050567.tif 000008
【図７】
2006050567.tif 000009
【図８】
2006050567.tif 000010
【図９】
2006050567.tif 000011
【図１０】
2006050567.tif 000012
【図１１】
2006050567.tif 000013
【図１２】
2006050567.tif 000014
【図１３】
2006050567.tif 000015
【図１４】
2006050567.tif 000016
【図１５】
2006050567.tif 000017
【図１６】
2006050567.tif 000018
【図１７】
2006050567.tif 000019
【図１８】
2006050567.tif 000020
【図１９】
2006050567.tif 000021
【図２０】
2006050567.tif 000022
【図２１】
2006050567.tif 000023
【図２２】
2006050567.tif 000024